【事件の表示】
　平成１０年特許願第　　６４８８号「シート状物搬送装置における清掃装置」拒絶査定不服審判事件〔平成１１年　７月２７日出願公開、特開平１１−１９９０８５号〕について、次のとおり審決する。
【結　論】
　本件審判の請求は、成り立たない。
【理　由】
１．手続の経緯　
　本願は、平成１０年１月１６日の出願であって、平成１９年２月１６日付けで拒絶査定がされ、これに対して、平成１９年３月２２日に拒絶査定に対する審判請求がなされたものである。　
　　
　　
２．本願発明について　　
　本願の請求項１ないし５に係る発明は、平成１９年１月１５日付け手続補正書により補正された明細書の、特許請求の範囲の請求項１ないし５に記載された事項により特定されるとおりのものと認められるところ、請求項２に記載された発明は以下のとおりのものである。　　
「走行する無端走行体に支持されシート状物を保持するシート状物保持手段を有するシート状物搬送装置において、前記無端走行体および前記走行するシート状物保持手段に対してエアを吹き付けるノズルを設けたことを特徴とするシート状物搬送装置における清掃装置。」（以下請求項２に係る発明を「本願発明」という。）　　
　
　
３．引用発明　
（１）これに対して、原審の拒絶査定に引用された特開平７−１９６２２０号公報（以下「引用例」という。）には図面とともに以下の事項が記載されている。　
　
（ａ）「【請求項１】　枚葉印刷機排紙部のデリバリーチェーンを清掃する自動清掃装置であって、排紙部本体に取付可能な取付フレームと、該取付フレームに固定されたガイド部材と、移動用アクチュエータに連結され前記ガイド部材に沿って前記デリバリーチェーンの移動に同期した所定のタイミングで上下移動するホルダー部材と、該ホルダー部材によって保持され、回転駆動装置に連結されて回転駆動されるとともに、該ホルダー部材の上昇に伴い前記デリバリーチェーンを内側から清掃する作業位置と、該ホルダー部材の下降に伴いチェーングリッパーとの干渉を避ける退避位置とに交互に移動するワイヤーブラシとからなるデリバリーチェーン自動清掃装置。　
　　【請求項２】　前記ワイヤーブラシは、可撓軸により前記回転駆動装置に連結された請求項１記載のデリバリーチェーン自動清掃装置。　
　　【請求項３】　前記取付フレームは、排紙部本体両側のデリバリーフレームに下方から垂直に取り付ける２本の取付部と、両取付部間を連接する連接部とからなり、前記連接部の左右対称位置に２本のガイド部材が固定され、該ガイド部材と、移動用アクチュエータに連結され前記ガイド部材に沿って前記デリバリーチェーンの移動に同期した所定のタイミングで上下移動するホルダー部材と、該ホルダー部材によって保持され、回転駆動装置により回転駆動されるとともに、該ホルダー部材の上昇に伴い前記デリバリーチェーンを内側から清掃する作業位置と、該ホルダー部材の下降に伴いチェーングリッパーとの干渉を避ける退避位置とに交互に移動するワイヤーブラシとが、前記デリバリーフレームの内側にあって前後に回転する２本のデリバリーチェーンに対し一組ずつ配設された請求項１または２記載のデリバリーチェーン自動清掃装置。」　（【請求項１】−【請求項３】）　　
（ｂ）「【０００４】　本発明はこのような問題を解決するものであって、枚葉印刷機排紙部のデリバリーチェーンを自動的に清掃し、油に付着し堆積したスプレーパウダーが刷本上に落下するのを防止できるようにすることを目的とする。」（段落【０００４】）　
（ｃ）「【０００８】　
【作用】　本発明のデリバリーチェーン自動清掃装置は取付フレームによって枚葉印刷機の排紙部本体に取り付ける。そして、休憩時間等にデリバリーチェーンを緩動状態で回転させた状態で、ワイヤーブラシを回転駆動しつつ、ホルダー部材を上下に移動させて、その上昇位置においてワイヤーブラシがデリバリーチェーンを内側から清掃するようにし、また、デリバリーチェーンの移動に同期してホルダー部材共々ワイヤーブラシを上下移動させ、チェーングリッパーが廻ってきたときに、これと干渉しない位置に退避させるようにする。」（段落【０００８】）　
（ｄ）「【００１２】　図において、１は枚葉式オフセット印刷機の排紙部であり、１Ａおよび１Ｂは排紙部本体両側のデリバリーフレームである。排紙部１には、左右のデリバリーフレーム１Ａ，１Ｂに沿って２本のデリバリーチェーン２Ａ，２Ｂが配設されている。これらデリバリーチェーン２Ａ，２Ｂは、印刷ユニットの圧胴に接して印刷済の紙（刷本）を受け取る紙取り胴あるいは更に中間胴を経た後の排紙胴の両端に設けられたチェーンスプロケット３Ａ，３Ｂと、排紙部先端に設けられたチェーンスプロケット４Ａ，４Ｂとの間に巻き掛けられ、左右のデリバリーフレーム１Ａ，１Ｂに取り付けられたチェーンガイド（図示せず）に沿って上下および前後方向に同速度で回転移動するものであり、左右のデリバリーチェーン２Ａ，２Ｂの間には、所定数（例えば７本）のチェーングリッパー５が等ピッチで架け渡されている。チェーングリッパー５は、周知のように複数のくわえ爪５Ａを有し、それらくわえ爪５Ａはばねにより常時は閉じられていて、印刷ユニットの圧胴とともに回転するカムにより開かれて印刷ユニットの圧胴から刷本を受け取り、所定の排紙位置で先端スプロケット側のカムにより開かれて刷本を放し、パレット６上に積み重ねるよう作動する。図の７は真空車であって、チェーングリッパー５が放す直前まで刷本の後端部を支持する。」（段落【００１２】）　　
（ｅ）「【００１６】　この自動清掃装置１０は、取付フレーム１１の左右取付部１１ａ，１１ｂの上端が左右デリバリーフレーム１Ａ，１Ｂにボルトで取り付けられる。この取り付けは、ワンタッチ式とすることも可能である。そして、休憩時間等にこの装置１０を作動させ、デリバリーチェーン２Ａ，２Ｂを例えば１分間に２〜３周といった緩動回転させながら清掃を行う。その際、モータ１７によってワイヤーブラシ１５を回わしつつ、エアーシリンダー１３により、デリバリーチェーン２Ａ，２Ｂの移動と同期してホルダー部材１４共々ワイヤーブラシ１５を上下移動させ、上昇位置で、ワイヤーブラシ１５によりデリバリーチェーン２Ａ，２Ｂを内側から清掃して付着した粉を除去し、チェーングリッパー５が廻ってきたときには、これと干渉しない位置に退避させるよう制御する。」　（段落【００１６】）　
（ｆ）「【００１９】　
【発明の効果】　本発明は以上のように構成されているので、デリバリーチェーン表面の油に付着したスプレーパウダーを、簡単な装置により、休憩時間等を利用して自動的に除去することができ、油の混じったパウダーが印刷中に落下して刷本を汚損するのを防止できる。」（段落【００１９】）　
　
　したがって、上記引用例には以下の発明（以下、「引用発明」という。）が記載されている。　
「走行するデリバリーチェーンに支持され刷本を保持するチェーングリッパを有する搬送装置において、前記デリバリーチェーンを清掃するためのワイヤーブラシを設けたことを特徴とするデリバリーチェーン自動清掃装置。」　
　
４．対比　
　本願発明と引用発明とを対比すると、引用発明の「デリバリーチェーン」はその構造等を考慮すると本願発明の「無端走行体」に相当し、以下「刷本」は「シート状物」、「チェーングリッパ」は「シート状物保持手段」にそれぞれ相当する。そして、本願発明と引用発明とは、「シート状物搬送装置」である点で実質的に両者は同じである。また、本願発明の「ノズル」は清掃手段である点で、引用発明の「ワイヤーブラシ」と同じである。　
　したがって、本願発明と引用発明は、以下の点で一致ないし相違する。　
＜一致点＞　　
「走行する無端走行体に支持されシート状物を保持するシート状物保持手段を有するシート状物搬送装置において、前記無端走行体に対して清掃手段を設けたことを特徴とするシート状物搬送装置における清掃装置。」　　
＜相違点＞　
　本願発明は清掃手段として「無端走行体および前記走行するシート状物保持手段に対してエアを吹き付けるノズル」を設けているのに対し、引用発明は、無端走行体であるデリバリーチェーンを清掃する「ワイヤーブラシ」を設けている点。　
　
　
５．検討  　
　上記相違点について検討する。　
　無端走行体を用いた搬送装置の技術分野において、搬送対象等に起因する無端走行体への付着物を清掃するために、エアを吹き付けるノズルからなる清掃装置を設けることは、従来周知の技術手段に過ぎない（実願平１−１５８６６号（実開平２−１０８９２５号）のマイクロフィルム（エアノズル23）、実願昭５７−１０２２９２号（実開昭５９−８９１０号）のマイクロフィルム（エア噴出口15）、実願昭６０−１１８６３８号（実開昭６２−２６３１８号）のマイクロフィルム（エヤーノズル15）、実願昭６３−７３３０３号（実開平１−１７６６２１号公報）のマイクロフィルム（ノズル15）、特開平８−４０５３４号公報（吹掃ノズル14）等参照）。　
　また、清掃のために設けたエアを吹き付けるノズルを、清掃対象に向けることは技術常識であり、本願発明の明細書段落【００１７】において出願人も「エアノズル２０，２０ａ，２０ｂによるエアの噴射の方向を排紙チェーン７のリンク７ｂ、くわえ爪装置の爪竿の両端部、爪９ａと爪軸９の交差する部位の周縁部としたが、排紙チェーン７およびくわえ爪装置８の他の部位にエアを噴射するようにしてもよい。」と記載しているように、エアを吹き付けるノズルを「無端走行体」に加えて、「走行するシート状物保持手段」に向けることは、当業者が必要に応じて適宜選択し得る設計的事項にすぎない。　
　よって、上記周知の技術である清掃のためのエアを吹き付けるノズルを、引用発明に適用する際に、上記技術常識を参酌して、本願発明の相違点に係る構成のようにすることは当業者が容易に想到し得ることである。　
　
６．むすび　
　以上のとおり、本願発明は、引用例に記載された発明及び上記周知技術に基づいて、当業者が容易に発明をすることができたものであるから、特許法第２９条第２項の規定により特許を受けることができない。したがって、他の請求項に係る発明を検討するまでもなく、本願は拒絶すべきものである。
　
　よって、結論のとおり審決する。